(57)【要約】【課題】ケーブルに対してどのような単一の方向に力が加わっても必ずスリットの壁にケーブルが押し付けられて、ケーブルがスリット板から抜けることがなく、また、複数本又は複数対のケーブルを保持することを可能としたケーブル保持構造を提供する。【解決手段】スリット板（３）に形成され、一端が板の外側に開放され、他端が板の内部にあるスリット（１０）に、結び目のあるケーブルを通して該ケーブルの抜け止めとするケーブル保持構造において、ケーブル抜け止め部の前記スリット（１０）の形状を板の平面にて渦巻形状として、スリットの幅を一対のケーブル幅より少し広くし、スリットの内側端部に複数本のケーブルを収容可能なケーブル溜まり（１１）を設けた。【選択図】図４
2007273861.tif 000002
【特許請求の範囲】
【請求項１】
板に形成され、一端が該板の外側に開放され、他端が該板の内部にあるスリットに、結び目のあるケーブルを通して該ケーブルの抜け止めとするケーブル保持構造において、ケーブル抜け止め部の前記スリットの形状を前記板の平面にて渦巻形状とし、該スリットの幅を一対のケーブル幅より少し広くし、更に前記スリットの内側端部に複数本のケーブルを収容可能なケーブル溜まりを設けたことを特徴とするケーブル保持構造。
【請求項２】
板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてクランク型とし、スリット幅を一対のケーブル幅より少し広くし、更に前記スリットの内側端部に複数本のケーブルを収容可能なケーブル溜まりを設けたことにより複数本のケーブルを保持することができることを特徴とするケーブル保持構造。
【請求項３】
板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてＺ型として、スリット幅を一対のケーブル幅より少し広くし、更に前記スリットの内側端部に複数本のケーブルを収容可能なケーブル溜まりを設けたことにより複数本のケーブルを保持することができることを特徴とするケーブル保持構造。
【請求項４】
板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてレ型として、スリット幅を一対のケーブル幅より少し広くし、更に前記スリットの内側端部に複数本のケーブルを収容可能なケーブル溜まりを設けたことにより複数本のケーブルを保持することができることを特徴とするケーブル保持構造。
【請求項５】
板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にて弓型として、スリット幅を一対のケーブル幅より少し広くし、更に前記スリットの内側端部に複数本のケーブルを収容可能なケーブル溜まりを設けたことにより複数本のケーブルを保持することができることを特徴とするケーブル保持構造。
【請求項６】
板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にて逆Ｔ字型とし、スリット幅を一対のケーブル幅より少し広くし、更に前記スリットの内側端部に複数本のケーブルを収容可能なケーブル溜まりを設けたことにより複数本のケーブルを保持することができることを特徴とするケーブル保持構造。
【請求項７】
板に形成され、外側端部が該板の外側に開放され、内側端部が該板の内部にあるスリットに、結び目のあるケーブルを通して該ケーブルの抜け止めとするケーブル保持構造において、１箇所のスリットにつき先端に結び目のあるケーブルの抜け止めとする場合において、１箇所のスリットにつき複数の枝分かれスリットを設け、各枝スリットにケーブル溜まりを設けることにより、複数本のケーブルを保持することができることを特徴とするケーブル保持構造。
【発明の詳細な説明】
【技術分野】
【０００１】
本発明は、板に形成されたスリットに結び目のあるケーブルを通して該ケーブルの抜け止めとするケーブル保持構造に関する。本発明は、特に、複数のケーブル端子を有する機器において、ケーブル端子から機器の外部にケーブルを敷設する際に、好適に使用することのできるケーブル保持構造に関する。
【０００２】
このようなケーブル保持構造としては、例えば、野外において１回線当たり２本のケーブルにより接続される通信機器の連接構造がある。典型的な例では、多数の回線接続端子を有するターミナル機器（及びハブ機器）において、回線接続端子から延びるケーブルをターミナル機器から外部へ敷設する場合である。
【背景技術】
【０００３】
従来、野外等で使用される架設電話等のケーブルを敷設する際は、敷設及び撤収作業が迅速で且つ簡易に実施することのできるケーブル保持方法が用いられる。敷設されたケーブルが何らかの要因により引っ張られる場合、引っ張られるストレスに対してケーブルの強度が十分であっても、ケーブルの固定端部の強度が十分でないと、ケーブルが外れて断線したり、固定端部が損傷するという問題が生じる。
【０００４】
そこで、ケーブルの固定端部の近傍にケーブルを保持する構造を設けることで、ケーブルに引っ張り力が作用した場合でも、固定端部までもが引っ張られるようなストレスを伝えないようにし、固定端部でのケーブルの断線や固定端部の損傷を防止している。
【０００５】
従来のケーブル保持構造は、固定端部の近傍にＬ字形状（又はＪ字形状）の曲がりを有する櫛状のスリットを設けた板（以下、スリット板という）を配置し、敷設するケーブルに端部より十分な長さ（ケーブル固定端部からケーブル保持構造までの距離以上）を確保してコブ状の結び目を作ることによりケーブルに所定の端末加工を施して、ケーブルを固定端部に接続し、ケーブルの結び目より敷設側の部分を前述のスリットを通して、結び目がスリット板の固定端部側にくるように引っ掛けて保持するという構造である。
【０００６】
このような従来のケーブル保持構造の典型的な例を図１〜図４に示す。
【０００７】
図１は、ターミナル機器の接続箱１を示し、内部には略矩形の平面上に多数の接続端子２が配列されている。接続端子２が配列された平面の周囲４辺は、接続端子２から距離をおいて側壁（スリット板）３で囲まれている。このスリット板３には、ケーブルの抜け止め用の多数のＬ字形状（又はＪ字形状）のスリット１０が形成されている。
【０００８】
図２に示すように、各スリット１０は、前述のように、一端が板３の上面にて外側に開放され、他端が板の内部にあってケーブル溜まり１１を形成している。スリットの上端開放部には、ケーブルをスリットに挿入し易くするために、外側に向かって幅の広がった面取部１２を有する。
【０００９】
図３（ａ）において、敷設ケーブル４は、先端に固定端子５を有する。このケーブル４の固定端子５をターミナル機器の接続端子に接続し、ケーブル４を接続箱１外に延長しようとする場合は、前述のように、ケーブル４に結び目６が設け、結び目６を接続箱１の内側にしてケーブル４をスリット１０に通す。
【００１０】
敷設されたケーブル４が引っ張られた場合、図３（ｂ）のように、スリット板３に結び目が引っ掛かってここで引張り力を受けるため、結び目６より内側のケーブルには直接は引張りのストレスが伝わらず、ケーブル４の固定端子５に過大なストレスが生じたり、接続端子２より固定端子５及びケーブル４が抜けたりするのを防ぐ構造となっている。
【００１１】
このようなケーブル保持構造の特徴と必要条件は、下記のとおりである。
−現地作業で簡単に配線できる。（ケーブルを現物に合わせて、現場で切って繋ぐことが可能）
−ケーブルを施設側から引張った時の引張り力が直接伝わらない。
−電気的接続後にケーブル保持作業が可能である。
−ケーブルは、結び目を引っ張っても、内部のケーブル等を断線させず情報伝送機能に支障がない強度を有する。
−ケーブルの結び目を引っ掛けても又は引っ張っても、結び目が移動しないだけの表面の摩擦力を有し、結び目が小さくなり過ぎないだけの弾力性を有する。
−スリット板は敷設したケーブルに発生し得るテンションに対し、十分な強度を有する。
【００１２】
特に、架設電話線を敷設する場合、１回線につき２本の対のケーブルを用いる。２本のケーブルを併せて結び目を作り、固定端部の手前に位置する板に設けたＬ字（Ｊ字）型のスリットを通して固定端部に接続している。多数の回線の接続端子を持つターミナル機器の場合、機器周囲の壁面に多数のスリットが形成されている。
【００１３】
従来は、通話程度の情報量の低い通信に利用されており、伝送路のインピーダンスのバラツキは通信性能には影響しないため、強度的に定評のあるケーブルを２本対として利用していた。また、特に、極性を区別する必要がないため、２本共、被覆の色を含めて同じ仕様であった。ケーブルの被覆及び導線部は、引っ張りや曲げに対して十分な強度を持っており、結び目を作ってそれを不用意に引っ張っても簡単には断線しないものであった。また、２本の組合せを間違えなければ、どの固定端部に接続しても同じ機能を果たすようになっていた。
【００１４】
架設電話線を人や車両が踏みつけるなどにより、ケーブルに引っ張り力などのストレスが発生する。このため、従来からケーブル自身は硬くて強いものを使用している。
【００１５】
伝送路が無線であれば、ケーブルの敷設は不要でかつ伝送路にこのようなストレスは発生しないが、利用環境（例えば水中や分離した地下等）によっては電波が届かないため無線が使用できなかったり、通信の妨害や盗聴の危険性は有線よりも無線のほうが格段に高くなったりするため、あえて有線を利用している。
【００１６】
なお、従来知られている先行文献として、特許文献１（特開平５−２９３５６４号公報）があるが、同文献の図９に示される略円筒形のガイドブッシュは、内面にガイドブロックを保持、固定するための溝が中心軸のまわりに互いに１２０度の角度をなして形成されている。ガイドブロックはこの溝に嵌合され、ねじ止めされる。また、ガイドブッシュには、ガイドブロックの位置調整ねじが貫通する貫通孔も設けられている。ガイドブッシュは、ガイドポストが固定されているベースと対向するベースに固定される。すなわち、例えば、ガイドポストを下側のベースに固定するならば、ガイドブッシュは上側のベースに固定される。主として、ガイドポストとガイドブッシュによって、上型と下型とのｚ方向（上下方向）の並進運動を円滑に行うものである。
【００１７】
【特許文献１】特開平５−２９３５６４号公報
【発明の開示】
【発明が解決しようとする課題】
【００１８】
上述した従来のケーブル保持方法は、Ｌ字形状の曲がりを有する櫛歯状のスリットにケーブルを通し、ケーブルの結び目をこのスリットに引っかける構造となっている。この構造は、ケーブルが引っ張られた場合でも、ケーブルの結び目が櫛状のスリットに引っ掛かるためケーブルや固定端部に損傷を与えることなく保持される。
【００１９】
しかしながら、櫛状のスリットの形状がＬ字形状であるため、スリットの曲がり方向と逆方向へ引っ張られた場合は、ケーブルがスリット内で移動し、場合によっては、スリットから抜けてしまい、固定端部に直接ストレスが加わる状態となって、ケーブル保持構造が有効に機能しなくなり固定端部の保護が出来なくなるという問題があった。
【００２０】
また、回線が集中するハブ機器など、接続するケーブルの本数が多数の場合、接続作業が煩雑となる。
【００２１】
また、従来のスリット（Ｌ字型）の場合、ケーブルを保持する箇所を増やすには、板全体の幅を増やす必要があった。（一定の幅のスリット板に形成できるスリットの数には限りがあった。）
また、ケーブルを敷設する作業の最中、誤ってケーブルを引っ張ることにより接合部分に力が加わり接合部分が離れたり、破損したりする危険があった。
【００２２】
また、スリットにケーブルを挿入する際には、スリットの位置が判りにくいという問題があった。
【００２３】
また、コネクタへの接続前にケーブルに結び目を作っておく必要があった。
【００２４】
また、スリット板は敷設したケーブルより引っ張りテンションを受ける箇所であるため、厚手の金属板など、ケーブルを引っ張られても破損しない強度を有するスリット板を用い、複雑な形状のスリットを成形するのは、高いコストが必要であった。
【００２５】
そこで、本発明では、ケーブルに対してどのような単一の方向に力が加わっても必ずスリットの壁にケーブルが押し付けられ、ケーブルがスリット板から抜けることがなくなり、また、スリットの端部に複数本のケーブルを保持することを可能とした、ケーブル保持構造を提供するものである。
【課題を解決するための手段】
【００２６】
１）「渦巻き」型スリット構造
上記の課題を達成するために、本発明によれば、板に形成され、一端が該板の外側に開放され、他端が該板の内部にあるスリットに、結び目のあるケーブルを通して該ケーブルの抜け止めとするケーブル保持構造において、ケーブル抜け止め部の前記スリットの形状を前記板の平面にて渦巻形状とし、該スリットの幅を一対のケーブル幅より少し広くし、更に前記スリットの内側端部に複数本のケーブルを収容可能なケーブル溜まりを設けたことを特徴とする特徴とする（渦巻き型）ケーブル保持構造が提供される。
【００２７】
これによると、前記ケーブル溜まりに収容されているケーブルが、単一の方向であれば、どのような方向に力が加わったとしても、通常の使用条件では、ケーブルが抜けることはない。しかし、意図的にケーブルを、スリットの渦巻きに沿った回転方向に加わる力が変化した場合は、ケーブルが抜ける。
【００２８】
２）「クランク」型スリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてクランク型とし、スリット幅を一対のケーブル幅より少し広くし、更に前記スリットの内側端部に複数本のケーブルを収容可能なケーブル溜まりを設けたことにより複数本のケーブルを保持することができることを特徴とする（クランク型）ケーブル保持構造が提供される。
【００２９】
この場合においても、前記ケーブル溜まりに収容されているケーブルが、単一の方向であれば、どのような方向に力が加わったとしても、通常の使用条件では、ケーブルが抜けることはない。しかし、意図的にケーブルを、スリットのクランク形状に沿って加わる力の方向が変化した場合は、ケーブルが抜ける。
【００３０】
３）「Ｚ」字型のスリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてＺ型として、スリット幅を一対のケーブル幅より少し広くし、更に前記スリットの内側端部に複数本のケーブルを収容可能なケーブル溜まりを設けたことにより複数本のケーブルを保持することができることを特徴とする（Ｚ字型）ケーブル保持構造が提供される。
【００３１】
この場合においても、前記ケーブル溜まりに収容されているケーブルが、単一の方向であれば、どのような方向に力が加わったとしても、通常の使用条件では、ケーブルが抜けることはない。しかし、意図的にケーブルを、スリットのＺ字形状に沿って加わる力の方向が変化した場合は、ケーブルが抜ける。
【００３２】
４）「レ」字型のスリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にてレ型として、スリット幅を一対のケーブル幅より少し広くし、更に前記スリットの内側端部に複数本のケーブルを収容可能なケーブル溜まりを設けたことにより複数本のケーブルを保持することができることを特徴とする（レの字型）ケーブル保持構造が提供される。
【００３３】
この場合においても、前記ケーブル溜まりに収容されているケーブルが、単一の方向であれば、どのような方向に力が加わったとしても、通常の使用条件では、ケーブルが抜けることはない。しかし、意図的にケーブルを、レ字形状に沿って加わる力の方向が変化した場合は、ケーブルが抜ける。
【００３４】
５）「弓」字型のスリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にて弓型として、スリット幅を一対のケーブル幅より少し広くし、更に前記スリットの内側端部に複数本のケーブルを収容可能なケーブル溜まりを設けたことにより複数本のケーブルを保持することができることを特徴とする（弓の字型）ケーブル保持構造が提供される。
【００３５】
この場合においても、前記ケーブル溜まりに収容されているケーブルが、単一の方向であれば、どのような方向に力が加わったとしても、通常の使用条件では、ケーブルが抜けることはない。しかし、意図的にケーブルを、弓字形状に沿って加わる力の方向が変化した場合は、ケーブルが抜ける。
【００３６】
６）「逆Ｔ字」型のスリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、ケーブル抜け止め部のスリット形状を前記板の平面にて逆Ｔ字型とし、スリット幅を一対のケーブル幅より少し広くし、スリット両端部の２箇所にケーブル溜まりを設けることにより複数本のケーブルを保持することができることを特徴とするケーブル保持構造が提供される。
【００３７】
この場合においても、前記ケーブル溜まりに収容されているケーブルが、単一の方向であれば、どのような方向に力が加わったとしても、通常の使用条件では、ケーブルが抜けることはない。また、ケーブルの保持箇所を１スリットにつき左右２箇所とすることができる。したがって、同一幅で本願可能なケーブルの収容量を増加させることができ、端子盤の小型化が図れる。
【００３８】
７）「枝分かれ」型のスリット構造
また、本発明によれば、板に形成され、外側端部が該板の外側に開放され、内側端部が該板の内部にあるスリットに、結び目のあるケーブルを通して該ケーブルの抜け止めとするケーブル保持構造において、１箇所のスリットにつき先端に結び目のあるケーブルの抜け止めとする場合において、１箇所のスリットにつき複数の枝分かれスリットを設け、各枝スリットにケーブル溜まりを設けることにより、複数本のケーブルを保持することができることを特徴とする（枝分れ型）ケーブル保持構造が提供される。
【００３９】
この場合においても、前記ケーブル溜まりに収容されているケーブルが、単一の方向であれば、どのような方向に力が加わったとしても、通常の使用条件では、ケーブルが抜けることはない。また、ケーブルの保持箇所を１スリットにつき複数（多数）箇所とすることができる。したがって、同一幅で本願可能なケーブルの収容量を増加させることができ、端子盤の小型化が図れる。
【発明を実施するための最良の形態】
【００４０】
以下、添付図面を参照して本発明の実施形態を詳細に説明する。
【００４１】
本発明の各実施形態におけるケーブル保持構造は、従来例の場合と同様、スリット板３の上縁に開放されたスリット１０が略等間隔に複数配列されている。各実施形態では、複数のスリット１０はすべてが同一形状のものとして示しているが、種々の形状のスリットが組み合わされたものであってもよい。
【００４２】
図４〜図９の実施形態において、板３に形成された渦巻き形状のスリット１０は、開放端部の両側に面取り部１２が設けられている。スリット１０の幅は、開放端部の面取り部１２及び内側端のケーブル溜まり１１の部分を除き、一対のケーブル幅より少し広い程度の略一定の幅を有する。
【００４３】
「渦巻き」型スリット構造
図４は渦巻き型ケーブル保持構造を示す。スリット１０は、全体として渦巻き形状をなすもので、上端の開放端部から下方に延びた下行部分１０ａと、この下行部分１０ａから連続して図の左側に円弧状に延びた円弧状部分１０ｂとを有し、この円弧状部分１０ｂの末端の部分にある短い上行部分１０ｃから右方に内側に向けて急激に曲がってケーブル溜まり１１につながっている。
【００４４】
換言すると、板３の一部からなるガイド部３０は、スリット１０の下行部分１０ａ及び円弧状部分１０ｂに沿ってその左側に略円弧状に略一定の幅で延び、ケーブル溜まり１１の入口部分１０ｄで終結している。そして、スリット１０はこの入口部分１０ｄからケーブル溜まり１１に移行する部分で急激に幅が大きくなっている。
【００４５】
このような渦巻き形状のスリット１０では、上端の開放端部からケーブルを挿入し、下行部分１０ａ及び円弧状部分１０ｂを経て、ケーブル溜まりの入口部分１０ｄからケーブル溜まり１１を挿入する。される。入口部分１０ｄは、ケーブル溜まり１１に対して、幅が急激に小さくなるので、ケーブル溜まり１１に収容されているケーブルは、容易にスリット１０の方へ移動することはなく、また、単一の方向であれば、どのような方向に力が加わったとしても、通常の使用条件では、ケーブルがケーブル溜まり１１から入口部分１０ｄ、円弧状部分１０ｂ及び下行部分１０ａを通過して、スリット１０の開放端部からスリット板３の外側へ抜け出すことはない。
【００４６】
もっとも、意図的にケーブルを、スリット１０の渦巻きに沿った方向に順次力の向きを変えて引張り力を加えれば、ケーブルがスリット板３から抜けることは勿論である。なお、図４に示すスリット１０の形態は、渦巻きの向きが外側から内側へ、右から左へ更に左から右へ向いているが、その逆の方向に向いていてもよいことは勿論である。
【００４７】
「クランク」型スリット構造
図５はクランク型ケーブル保持構造を示す。スリット１０は、全体としてクランク形状をなすもので、上端の開放端部から短く左側に湾曲した湾曲部分１０ａと、この湾曲部分１０ａから連続して下方に延びた下行部分１０ｂと、この下行部分１０ｂの末端から連続して右側に湾曲して短く略水平に延びた水平部分１０ｃとを有し、この水平部分１０ｃからケーブル溜まり１１につながっている。水平部分１０ｃからケーブル溜まり１１に移行する入口部分１０ｄは急激に幅が大きくなっている。
【００４８】
このようなクランク形状のスリット１０では、ケーブルは、上端の開放端部から挿入され、湾曲部分１０ａ、下行部分１０ｂ及び水平部分１０ｃを経て、ケーブル溜まり入口部分１０ｄからケーブル溜まり１１に挿入される。入口部分１０ｄは、ケーブル溜まり１１に対して、幅が急激に小さくなるので、ケーブル溜まり１１に収容されているケーブルは、容易にスリット１０の方へ移動することはなく、また、単一の方向であれば、どのような方向に力が加わったとしても、通常の使用条件では、ケーブルがケーブル溜まり１１から入口部分１０ｄ、水平部分１０ｄ、下行部分１０ｂ及び湾曲部分１０ａを通過して、スリット１０の開放端部からスリット板３の外側へ抜け出すことはない。
【００４９】
もっとも、意図的にケーブルを、スリット１０の渦巻きに沿った方向に順次力の向きを変えて引張り力を加えれば、ケーブルがスリット板３から抜けることは勿論である。なお、図５に示すスリット１０の形態は、クランク形状の開放端部から左側に向いているが、その逆の方向に向いていてもよいことは勿論である。
【００５０】
「Ｚ」字型のスリット構造
図６はＺ字型ケーブル保持構造を示す。スリット１０は、全体としてＺ字形状をなすもので、上端の開放端部から下方へ延びた第一の下行部分１０ａ、この第一の下行部分１０ａから連続して湾曲して左斜め上方に延びた斜め上行部分１０ｂと、この斜め上行部分１０ｂの上端から下方へ湾曲し連続的に下方へ延びた第二の下行部分１０ｃと、この第二の下行部分１０ｃの下端から連続して右側に湾曲して短く略水平に延びた水平部分１０ｄとを有し、この水平部分１０ｄからケーブル溜まり１１につながっている。水平部分１０ｄからケーブル溜まり１１に移行するケーブル溜まり１１の入口部分は急激に幅が大きくなっている。
【００５１】
このようなＺ字形状のスリット１０では、ケーブルは、上端の開放端部から挿入され、第一の下行部分１０ｂ、斜め上行部分１０ｂ、第二の下行部分１０ｃ、水平部分１０ｄを経て、ケーブル溜まり１１に挿入される。ケーブル溜まり１１の入口部分は、ケーブル溜まり１１に対して、幅が急激に小さくなるので、ケーブルが一旦ケーブル溜まり１１に収容されてしまうと、容易にスリット１０の方へ移動することはなく、また、単一の方向であれば、どのような方向に力が加わったとしても、通常の使用条件では、ケーブルがケーブル溜まり１１から水平部分１０ｄ、第二の下行部分１０ｃ、斜め上行部分１０ｂ及び第一の下行部分１０ａを通過して、スリット１０の開放端部からスリット板３の外側へ抜け出すことはない。
【００５２】
もっとも、意図的にケーブルを、スリット１０のＺ字形状渦巻きに沿った方向に順次力の向きを変えて引張り力を加えれば、ケーブルが抜けることは勿論である。なお、図６に示すスリット１０の形態は、Ｚ字の形状が開放端部から左側に向いているが、その逆の方向に向いていてもよいことは勿論である。
【００５３】
図７〜図９の各実施形態は、図６に示したＺ字型ケーブル保持構造をベースに、逆Ｔ字スリット構造または枝分れスリット構造を持たせた場合の応用例を示す。
【００５４】
図７の応用例では、図６において、水平部分１０ｄが第二の下行部分１０ｃの下端から連続して右側に湾曲して短く略水平に延びているのに対し、第二の下行部分１０ｃの下端から、連続して左側及び右側の両方へ短く略水平に延びており、右行水平部分１０ｄ及び左行水平部分１０ｅを形成している。そして、右行水平部分１０ｄの右側及び左行水平部分１０ｅの左側に、それぞれケーブル溜まり１１に接続されている。各水平部分１０ｄ、１０ｅからケーブル溜まり１１に移行するケーブル溜まりの入口部分は急激に幅が大きくなっている点は、図６の実施形態と同様である。
【００５５】
図８の応用例では、第二の下行部分１０ｃが更に下方に延びており、第二の下行部分１０ｃの途中から、交互に、右側及び左側に短く略水平に延びている複数の右行水平部分１０ｄ及び左行水平部分１０ｅを形成している。そして、右行水平部分１０ｄの右側及び左行水平部分１０ｅの左側が、それぞれケーブル溜まり１１に接続されている。各水平部分１０ｄ、１０ｅからケーブル溜まり１１に移行するケーブル溜まりの入口部分は急激に幅が大きくなっている点は、図６及び図７の実施形態と同様である。
【００５６】
図９の応用例では、図６において、斜め上行部分１０ｂが第一の下行部分１０ａの下端から連続して湾曲して左斜め上方にのみ延びているのに対し、第一の下行部分１０ａの下端から左斜め上方及び右斜め上方の両方向に対称的に連続して湾曲して延び、右側斜め上行部分１０ｂと、左側斜め上行部分１０ｂとに分岐している。
【００５７】
そして、両斜め上行部分１０ｂの上端から湾曲し連続して下方へ延びた第二の下行部分１０ｃと、この第二の下行部分１０ｃの下端から連続して右側、左側のそれぞれに湾曲して両者が近づく方向に短く略水平に延びた水平部分１０ｄとを有し、これらの水平部分１０ｄからケーブル溜まり１１にそれぞれつながっている。水平部分１０ｄからケーブル溜まり１１に移行するケーブル溜まり１１の入口部分は急激に幅が大きくなっている点は前述の実施形態と同様である。
【００５８】
図７〜図９に示したＺ字形状のスリット１０の応用例では、ケーブル溜まり１１は複数形成されることとなる。したがって、ケーブル溜まり１１の数の応じた複数又は複数対のケーブルを収容することができる。ケーブル溜まり１１にケーブルを収容する順序は、いずれのケーブル溜まりからでもよい。また、図７〜図９に示したＺ字形状のスリット１０の応用例では、スリット１０を形成するに必要なスリット板３の上下方向の寸法は、図６の実施形態の場合よりも大きくなるものの、スリット板３の水平方向の単位長さ当たりのケーブル溜まり１１の数を増加することができ、したがって、ケーブル溜まり１１の数に応じてケーブルの収容量を増加させることができる。
【００５９】
「レ」字型のスリット構造
図１０はレ字型ケーブル保持構造を示す。スリット１０は、全体としてレ字形状をなすもので、スリット板３に形成されたスリット１０は、開放端部の両側に面取り部１２が設けられている。この実施形態におけるスリット１０は、一方の面取り部１２ａがそのままの角度で延びていて、その途中から連続して水平に左方へ延びて、水平部分１０ａを形成している。他方の面取り部１２ｂはスリットに対して突起状となっている。水平部分１０ａの端部は、その途中から下方に設けられたケーブル溜まり１１につながっている。そして、ケーブル溜まり１１の入口部分１０ｂはくびれていて、スリット板３の一部が入口部分１０ｂに向けて突起状を呈している。
【００６０】
このようなレ字形状のスリット１０では、面取り部１２ａ、１２ｂのあるスリット板３の上端開放端部からケーブルを挿入し、水平部分１０ａを経て、ケーブル溜まりの入口部分１０ｄからケーブル溜まり１１を挿入する。入口部分１０ｄは、ケーブル溜まり１１に対して、幅が急激に小さくなっているので、一旦ケーブル溜まり１１に収容されたケーブルは、容易にスリット１０の方へ抜け出すことはなく、また、単一の方向であれば、どのような方向に力が加わったとしても、通常の使用条件では、ケーブルがケーブル溜まり１１から入口部分１０ｄ、水平部分１０ａを通過して、スリット１０の開放端部からスリット板３の外側へ抜け出すことはない。
【００６１】
もっとも、意図的にケーブルを、スリット１０のレ字に沿った方向に順次力の向きを変えて引張り力を加えれば、ケーブルが抜けることは勿論である。なお、図１０に示すスリット１０の形態は、レ字の向きがスリット１０の開放端部から図の右側へ向いているが、その逆の方向に向いていてもよいことは勿論である。
【００６２】
「逆Ｔ字」型のスリット構造
図１１は逆Ｔ字型ケーブル保持構造を有するターミナル機器の接続箱１の平面図、正面図及び側面図であり、図１２は図１１のＡで示した部分の拡大図である。接続箱１は、図１の場合と同様、内部には略矩形の平面上に多数の接続端子２が配列されている。接続端子２が配列された平面の周囲４辺は、接続端子２から距離をおいて側壁（スリット板）３で囲まれている。このスリット板３には、ケーブルの抜け止め用の多数の逆Ｔ字型のスリット１０が形成されている。
【００６３】
図１２に示した逆Ｔ字型ケーブル保持構造において、スリット板３に形成されたスリット１０は、全体として逆Ｔ字型をなしている。スリット１０の開放端部の両側に面取り部１２が設けられている点は前述の実施形態と同様である。この実施形態におけるスリット１０は、上端の開放端部から下方に延びた下行部分１０ａと、この下行部分１０ａの下端から左右両側へ短く水平方向の延びた右行水平部分１０ｂ及び左行水平部分１０ｃからなり、この右行水平部分１０ｂ及び左行水平部分１０ｃの右側及び左側は、それぞれケーブル溜まり１１につながっている。そして、ケーブル溜まり１１の入口部分１０ｂはそれぞれくびれていて、各水平部分１０ｂ、１０ｃからケーブル溜まり１１に移行するケーブル溜まりの入口部分は急激に幅が大きくなっている点は、前述の実施形態と同様である。
【００６４】
「弓」字型のスリット構造
図１４は「弓」字型のスリット構造を示す。
ケーブル抜け止め部のスリット形状を弓の字型に形成し、スリット１０の幅を一対のケーブル幅より少し広くしている。
ケーブルは、上端のスリット開放端部から挿入され、下行部分１０ａ、右行水平部分１０ｂ、第２の下行部分１０ｃ、左行水平部分１０ｄ、第３の下行部分１０ｅを含むスリット１０の形状に沿ってケーブル溜まり１１まで挿入される。これにより、ケーブルが一旦ケーブル溜まり１１に収容されてしまうと、容易にスリット１０の方へ移動することはなく、また、単一の方向であれば、どのような方向に力が加わったとしても、スリット１０の複雑な湾曲部を通過して、スリット１０の開放端部からスリット板３の外側へ抜け出すことはない。
図１４のスリット形状では、従来のＬ型またはＪ型のスリットの場合と違って、ケーブル溜まり１１が下方に配置されるため、スリット１つ当たりに必要な板３の幅が小さくなり、板の一定幅当たりのスリット１０の数を増やすことが可能となり、回線の実装密度向上に対応できる。即ち、一定サイズの端子盤に対してより多くの回線接続部を収容できることとなる。
【００６５】
複数の枝分れスリット構造
図１３に示す実施形態は、図１２に示した逆Ｔ字型スリットの応用例でもある。スリット１０の開放端部の両側に面取り部１２が設けられている点は前述の実施形態と同様である。この実施形態におけるスリット１０は、全体として弓型形状で、上端の開放端部から下方の延びた下行部分１０ａと、この下行部分１０ａの途中から、交互に、左側及び右側に短く略水平に延びている複数の右行水平部分１０ｂ及び左行水平部分１０ｃを形成している。そして、右行水平部分１０ｂの右側及び左行水平部分１０ｃの左側に、それぞれケーブル溜まり１１に接続されている。各水平部分１０ｂ、１０ｃからケーブル溜まり１１に移行するケーブル溜まりの入口部分は急激に幅が大きくなっている点は、前述の実施形態と同様である。
【００６６】
図１２及び図１３に示したスリット１０の構造においても、ケーブル溜まり１１は複数形成されることとなる。したがって、ケーブル溜まり１１の数の応じた複数又は複数対のケーブルを収容することができる。ケーブル溜まり１１にケーブルを収容する順序は、いずれのケーブル溜まりからでもよい。これにより、板３の水平方向の単位長さ当たりのケーブル溜まり１１の数を増加することができ、したがって、ケーブル溜まり１１の数に応じてケーブルの収容量を増加させることができる。
【００６７】
以上添付図面を参照して本発明の実施形態について説明したが、本発明は上記の実施形態に限定されるものではなく、本発明の精神ないし範囲内において種々の形態、変形、修正等が可能である。
【産業上の利用可能性】
【００６８】
以上説明したように、本発明によれば、ケーブルに対してどのような単一の方向に力が加わっても必ずスリットの壁にケーブルが押し付けられ、ケーブルがスリット板から抜けることがなくなる。また、スリットの端部に必要な大きさのケーブル溜りを設けることにより複数本のケーブルを保持することを可能となり、ケーブルの収容量を増加させることができる。
【図面の簡単な説明】
【００６９】
【図１】ターミナル機器の接続箱を示す。
【図２】従来のＪ字型スリットを有するケーブル保持構造を示す。
【図３】ケーブルを保持する状態を示す。
【図４】本発明の一実施形態で、渦巻き型スリットを示す。
【図５】本発明の他の実施形態で、クランク型スリット構造を示す。
【図６】本発明の他の実施形態で、Ｚ字型スリット構造を示す。
【図７】図６の実施形態の応用例を示す。
【図８】図６の実施形態の他の応用例を示す。
【図９】図６の実施形態の他の応用例を示す。
【図１０】本発明の他の実施形態で、レ字型スリット構造を示す。
【図１１】本発明の逆Ｔ字形スリット構造を有する接続箱を示す。
【図１２】本発明の他の実施形態で、逆Ｔ字形スリット構造を示す。
【図１３】本発明の他の実施形態で、複数の枝分れスリット構造を示す。
【図１４】本発明の他の実施形態で、弓型のスリット構造を示す。
【符号の説明】
【００７０】
１    接続箱
２    接続端子
３    スリット板（側壁）
１０    スリット
１１    ケーブル溜まり
１２    面取り部
【図１】
2007273861.tif 000003
【図２】
2007273861.tif 000004
【図３】
2007273861.tif 000005
【図４】
2007273861.tif 000006
【図５】
2007273861.tif 000007
【図６】
2007273861.tif 000008
【図７】
2007273861.tif 000009
【図８】
2007273861.tif 000010
【図９】
2007273861.tif 000011
【図１０】
2007273861.tif 000012
【図１１】
2007273861.tif 000013
【図１２】
2007273861.tif 000014
【図１３】
2007273861.tif 000015
【図１４】
2007273861.tif 000016